(57)【要約】【課題】安価に不揮発性メモリ装置にデータを書き込める不揮発性メモリ制御装置を提供する。【解決手段】外部からのデータ書き込みを禁止することが出来るライトプロテクト端子を持ちデータの書き込み及び読み込みができる不揮発性メモリ装置１２と、この不揮発性メモリ装置１２のデータの書き込み及び読み込みと不揮発性メモリ装置１２のライトプロテクト端子の制御を行うメモリ制御マイコン装置１１と、このメモリ制御マイコン装置１１を介さず不揮発性メモリ装置１２へのデータ書き込みを行えるデータ書き込み装置１３とを備え、かつ前記メモリ制御マイコン装置１１内に、前記データ書き込み装置１３から不揮発性メモリ装置１２へのデータの書き込みが検出できるデータ書き込み検出部１７と、不揮発性メモリ装置のライトプロテクト端子の制御を行うライトプロテクト制御処理部１６とを備えた。【選択図】図１
2008305447.tif 000002
【特許請求の範囲】
【請求項１】
外部からのデータ書き込みを禁止することが出来るライトプロテクト端子を持ちデータの書き込み及び読み込みができる不揮発性メモリ装置と、この不揮発性メモリ装置のデータの書き込み及び読み込みと不揮発性メモリ装置のライトプロテクト端子の制御を行うメモリ制御マイコン装置と、このメモリ制御マイコン装置を介さず不揮発性メモリ装置へのデータ書き込みを行えるデータ書き込み装置とを備え、かつ前記メモリ制御マイコン装置内に、前記データ書き込み装置から不揮発性メモリ装置へのデータの書き込みが検出できるデータ書き込み検出部と、不揮発性メモリ装置のライトプロテクト端子の制御を行うライトプロテクト制御処理部とを備えたことを特徴とする不揮発性メモリ制御装置。
【発明の詳細な説明】
【技術分野】
【０００１】
本発明は、不揮発性メモリ装置のデータの書き込み及び読み込みと不揮発性メモリ装置のライトプロテクト端子の制御を行う不揮発性メモリ制御装置に関するものである。
【背景技術】
【０００２】
近年、映像表示装置の性能向上を目的として、仕向け地やインチサイズによって映像の絵作りが多種多様に求められており、そのため映像表示用デバイスの制御データも多種多様の設定が必要になってきており、制御データが膨大になっており制御データの記憶媒体として不揮発性メモリ装置を用いており、その不揮発性メモリ装置へのデータ書き換えを行う不揮発性メモリ制御装置が必要になっている。
【０００３】
具体的な先行技術文献は見当たらないが、従来の不揮発性メモリ制御装置として図２に示すブロック図のものが知られている。
【０００４】
図２において、２１は、不揮発性メモリのデータの書き込み及び読み込みと不揮発性メモリのライトプロテクト端子の制御を行うメモリ制御マイコン装置である。２２は外部からのデータ書き込みを禁止することが出来るライトプロテクト端子を持ちデータの書き込み及び読み込みができる不揮発性メモリ装置である。２３はメモリ制御マイコン装置を介さず不揮発性メモリ装置２２へのデータ書き込みを行えるデータ書き込み装置ある。
【０００５】
２４はメモリ制御マイコン装置２１から不揮発性メモリ装置２２のライトプトテクト端子を制御するライトプロテクト制御ラインである。２５はメモリ制御マイコン装置２１またはデータ書き込み装置２３から不揮発性メモリ装置２２へのデータの書き込み及び読み込みを行う不揮発性メモリ制御ラインである。２６はメモリ制御マイコン装置２１内にある不揮発性メモリ装置２２のライトプロテクト端子の制御を行うライトプロテクト制御処理部である。２７は不揮発性メモリ装置のライトプロテクト端子を強制的に書き込み許可状態にするライトプロテクト解除制御ラインである。
【０００６】
以上のように構成された従来の不揮発性メモリ制御装置について、以下その動作について説明する。
【０００７】
データ書き込み装置２３は、ライトプロテクト解除制御ライン２７を用いてライトプロテクト制御ライン２４を基板上のＧＮＤに接続し、メモリ制御マイコン装置２１によるメモリへの書き込み禁止制御を強制的に書き込み許可状態にして、メモリ制御マイコン装置２１を介さず不揮発性メモリ制御ライン２５を用いて不揮発性メモリ装置２２にデータを書き込むことが出来る。
【発明の開示】
【発明が解決しようとする課題】
【０００８】
しかしながら上記の従来の構成では、データ書き込み装置２３は、ライトプロテクト解除制御ライン２７を備え、また基板上にメモリへの書き込み禁止制御を強制的に解除するためのＧＮＤを備える必要があり、データ書き込み装置２３の制御数や基板面積が大きくなり、安価に不揮発性メモリ装置２２にデータを書き込めないといった問題点を有していた。
【０００９】
本発明は上記従来の問題点を解決するもので、安価に不揮発性メモリ装置にデータを書き込める不揮発性メモリ制御装置を提供することを目的とする。
【課題を解決するための手段】
【００１０】
この目的を達成するために本発明の不揮発性メモリ制御装置は、外部からのデータ書き込みを禁止することが出来るライトプロテクト端子を持ちデータの書き込み及び読み込みができる不揮発性メモリ装置と、この不揮発性メモリ装置のデータの書き込み及び読み込みと不揮発性メモリ装置のライトプロテクト端子の制御を行うメモリ制御マイコン装置と、このメモリ制御マイコン装置を介さず不揮発性メモリ装置へのデータ書き込みを行えるデータ書き込み装置とを備え、かつ前記メモリ制御マイコン装置内に、前記データ書き込み装置から不揮発性メモリ装置へのデータの書き込みが検出できるデータ書き込み検出部と、不揮発性メモリ装置のライトプロテクト端子の制御を行うライトプロテクト制御処理部とを備えたことを特徴とする。
【発明の効果】
【００１１】
この構成によって、データ書き込み装置の制御数や基板面積が大きくなるといったコストアップを防止でき、安価に不揮発性メモリ装置にデータを書き込めるといった効果が得られる。
【発明を実施するための最良の形態】
【００１２】
以下、本発明の実施の形態について、図１を用いて説明する。
【００１３】
図１は本発明の不揮発性メモリ制御装置のブロック図を示すものである。図１において、１１は後述する不揮発性メモリ装置１２のデータの書き込み及び読み込みと不揮発性メモリ装置１２のライトプロテクト端子の制御を行うメモリ制御マイコン装置である。１２は外部からのデータ書き込みを禁止することが出来るライトプロテクト端子を持ちデータの書き込み及び読み込みができる不揮発性メモリ装置である。１３はメモリ制御マイコン装置１１を介さず不揮発性メモリ装置１２へのデータ書き込みを行えるデータ書き込み装置ある。
【００１４】
１４はメモリ制御マイコン装置１１から不揮発性メモリ装置１２のライトプトテクト端子を制御するライトプロテクト制御ラインである。１５はメモリ制御マイコン装置１１またはデータ書き込み装置１３から不揮発性メモリ装置１２へのデータ書き込み及び読み込みを行う不揮発性メモリ制御ラインである。１６はメモリ制御マイコン装置１１内に設けられ、不揮発性メモリ装置１２のライトプロテクト端子の制御を行うライトプロテクト制御処理部である。１７はデータ書き込み装置１３から不揮発性メモリ装置１２へのデータの書き込みが検出できるデータ書き込み検出部である。
【００１５】
以上のように構成された不揮発性メモリ制御装置について、図１を用いてその動作を説明する。
【００１６】
データ書き込み装置１３は、不揮発性メモリ制御ライン１５を用いて書き込みデータを出力する。その際、メモリ制御マイコン装置１１内のデータ書き込み検出部１７は、不揮発性メモリ制御ライン１５を介して入力された不揮発性メモリ装置１２へのデータ書き込みデータを検出し、ライトプロテクト制御処理部１６にライトプロテクト解除要求を出力する。ライトプロテクト制御処理部１６は、データ書き込み検出部１７からのライトプロテクト解除要求によりライトプロテクト制御ライン１４をＬｏｗレベル、すなわちＧＮＤに接続した状態と同様にし、データの書き込み許可状態にする。これによりデータ書き込み装置１３は、不揮発性メモリ１２へデータを書き込むことができる。
【００１７】
このように本発明の不揮発性メモリ制御装置は、データ書き込み装置の制御数や基板面積が大きくなるといったコストアップを防止して、不揮発性メモリ装置のデータの書き込み及び読み込みと不揮発性メモリ装置のライトプロテクト端子の制御を行うことができる。
【産業上の利用可能性】
【００１８】
本発明の不揮発性メモリ制御装置は、データ書き込み装置の制御数や基板面積が大きくなるといったコストアップを防止できる不揮発性メモリ制御装置として有用な発明である。
【図面の簡単な説明】
【００１９】
【図１】本発明の一実施の形態による不揮発性メモリ制御装置のシステム構成図
【図２】従来の不揮発性メモリ制御装置のシステム構成図
【符号の説明】
【００２０】
１１  メモリ制御マイコン装置
１２  不揮発性メモリ装置
１３  データ書き込み装置
１４  ライトプロテクト制御ライン
１５  不揮発性メモリ制御ライン
１６  ライトプロテクト制御処理部
１７  データ書き込み検出部
【図１】
2008305447.tif 000003
【図２】
2008305447.tif 000004